(57)【要約】【課題】支柱の立設が加工を行うことなく、スパナ、レンチ等の通常使用する工具で行え、設置する位置の調整が容易にでき、誰にでも容易に取付けられる建築用突張り支柱を提供することを目的とする。【解決手段】中空状の支柱の両端部に第一キャップ、第二キャップをそれぞれ嵌着し、アジャスターボルトの一方部を第二キャップを挿通させて支柱内に突入させ、アジャスターボルトの他方部を支柱の外方へ突出させ、第二キャップを支持するようにして昇降ナットをアジャスターボルトに螺合させ、アジャスターボルトの外方端に基板を取付けてなる建築用突張り支柱とした。【選択図】  図１
2004209026.tif 000002
【特許請求の範囲】
【請求項１】
中空状の支柱の両端部に第一キャップ、第二キャップをそれぞれ嵌着し、アジャスターボルトの一方部を第二キャップを挿通させて支柱内に突入させ、アジャスターボルトの他方部を支柱の外方へ突出させ、第二キャップを支持するようにして昇降ナットをアジャスターボルトに螺合させ、アジャスターボルトの外方端に基板を取付けてなる建築用突張り支柱。
【請求項２】
支柱の外周に部材の取付溝を設けた請求項１記載の建築用突張り支柱。
【請求項３】
第一キャップの上面に滑り止めのスパイクを設けた請求項１記載の建築用突張り支柱。
【請求項４】
基板をアジャスターボルトに対して傾動可能に設けた請求項１記載の建築用突張り支柱。
【発明の詳細な説明】
【０００１】
【発明の属する技術分野】
本発明は、建築用突張り支柱に関するものである。特に、格子、手摺り、防犯部材、目隠し部材、パネル、ロールカーテン、ラック等の支持用の突張り支柱についてである。
【０００２】
【従来の技術】
従来の建築用支柱は、次のようにして設けられていた。
【０００３】
コンクリートを流し込んで躯体を造成する際、支柱の立設予定箇所にアンカーを埋め込んでおき、支柱の端部を埋め込まれたアンカーに溶接して立設していた。
【０００４】
【発明が解決しようとする課題】
従来の支柱の立設は、埋め込まれたアンカーに溶接による連結作業が必要になり、しかもアンカーは立設予定箇所に既に設けられているため、実際、格子や手摺り等を設ける時に予定寸法と異なる場合、調整が不可能であり、さらに、アンカーへの支柱の溶接連結作業は専門技能者にしかできず、誰にでも容易に取付けられるものではない。
【０００５】
【課題を解決するための手段】
そこで、本発明は、上記の事情に鑑み、支柱の立設が加工を行うことなく、スパナ、レンチ等の通常使用する工具で行え、設置する位置の調整が容易にでき、誰にでも容易に取付けられるようにすべく、中空状の支柱の両端部に第一キャップ、第二キャップをそれぞれ嵌着し、アジャスターボルトの一方部を第二キャップを挿通させて支柱内に突入させ、アジャスターボルトの他方部を支柱の外方へ突出させ、第二キャップを支持するようにして昇降ナットをアジャスターボルトに螺合させ、アジャスターボルトの外方端に基板を取付けてなる建築用突張り支柱とした。
【０００６】
また、本発明は、具体的には、支柱の外周に部材の取付溝を設けた。
【０００７】
さらに、本発明は、具体的には、第一キャップの上面に滑り止めのスパイクを設けた。
【０００８】
さらにその上に、本発明は、具体的には、基板をアジャスターボルトに対して傾動可能に設けた。
【０００９】
【発明の実施の態様】
本発明を添付する図面の具体的な実施例に基づいて、以下詳細に説明する。
【００１０】
図１・図２・図３に建築用突張り支柱の例を示す。
【００１１】
中空状の支柱１の上下端部に上キャップ２、下キャップ３をそれぞれ嵌着する。
【００１２】
アジャスターボルト４の上部を下キャップ３の挿通孔５を挿通させて支柱１内に突入させ、アジャスターボルト４の下部を下方へ突出させる。アジャスターボルト４は支柱１の中心を進退できるように中央部に案内筒６を配置する。
【００１３】
アジャスターボルト４の下キャップ５の下部にワッシャ７を介在させて昇降ナット８を螺合させ、昇降ナット８で下キャップ４を支持させ、昇降ナット８を右回り回転あるいは左回り回転させることによりアジャスターボルト４は下方へあるいは上方へ移動する。アジャスターボルト４の下方への突出量が適宜長さに突出した際、昇降ナット８に螺着してあるビス９を締め込んでその長さを固定する。符号１６は固定ナットである。
【００１４】
アジャスターボルト４の下端に半球状のアンカーキャップ１０を傾動可能に設ける。アジャスターボルト４の下端部はアンカーキャップ１０中央の挿通孔１１に挿入し、アジャスターボルト４の下端は大径の係止片１２に形成してある。床の端部は水切りのため２．８〜１１．３°の傾斜面に形成してあるが、そこにアンカーキャップ１０を載置した際、それに沿って傾けるようにしてある。
【００１５】
支柱１は、図１・図２・図３に示すように、使用に適するような四角形、円形等の種々な断面に形成することができ、部材を取付けるのに適した取付溝１３を外周に設ける。この支柱１はアルミニウム押出型材で形成すると、その形成が容易である。
【００１６】
上キャップ２の上面およびアンカーキャップ１０の下面には、滑り止めのため、スパイク１４、１５がそれぞれ設けてある。
【００１７】
本突張り支柱を使用する際は、まずビス９を緩めておいて、設置場所において、起立させ、昇降ナット８を右回りあるいは左回りに回転させて長さの調整をして、ビス９を締め込んで固定する。
【００１８】
図４・図５に本突張り支柱をバルコニー・廊下の手摺りの支柱として使用した例を示す。図４は外観図、図５はその詳細図である。
【００１９】
両側に本突張り支柱を配置し、突張り支柱間に手摺りを設ける。
【００２０】
本突張り支柱は、支柱１の上下端部には上キャップ２と下キャップ３とをそれぞれ嵌着させ、本実施例では上キャップ２の上面に昇降ナット８を当接させ、この昇降ナットに螺合するアジャスターボルト４の下部を支柱１内に突入させ、アジャスターボルト４の上部は上方へ突出させて、天井２１に当接するアンカーキャップ１０内に突入させてある。符号１６は固定ナットである。床２２は傾斜面に形成してあって、下キャップ３下面と床２２との間には防水コーキング２３が施されている。また下キャップ３下面にはスパイクが突設されている。なお、符号２４はアンカーボルトである。
【００２１】
この支柱１間での手摺りの設置は取付溝１３を利用して行う。手摺り２５は、取付溝１３を利用して取付けたブラケット２６に固定する。格子手摺り２７も同様に取付溝１３を利用して取付けたブラケット２８に固定する。なお、符号２９は上枠、符号３０は下枠、符号３１は手摺子である。
【００２２】
図６・図７に本突張り支柱をバルコニー・廊下の落下防止柵の支柱として使用した例を示す。図６は外観図、図７はその詳細図である。
【００２３】
既設手摺り３２と天井２１との間に落下防止柵３３を設けた例である。落下防止柵３３は上枠３４と下枠３５と縦格子３６で連結してなる。この落下防止柵３３も前記と同様に取付溝１３を利用して取付けたブラケット２８に固定する。
【００２４】
前記と同一部品には同一符号を付する。以下同様である。
【００２５】
本実施例では、既設手摺り３２に設けるものであるので、既設手摺り３２の上枠３７を挟持する逆溝状断面のベースプレート３８をアジャスターボルト４の下端に溶接により固着する。このベースプレート３８内面中央には上枠３７を傷付けないように防傷パッド３９を張り付ける。この支柱１はベースプレート３８の下部にボルト４０を挿通させナット４１で螺締して行う。なお、落下防止柵は前述のものばかりでなく、開閉式にも利用できる。
【００２６】
図８・図９に本突張り支柱をバルコニー・廊下の目隠し部材の支柱として使用した例を示す。図８は外観図、図９はその詳細図である。
【００２７】
既設手摺り３３と天井２１との間にプライバシーを保護する目隠し部材としてのパネル４２を設けた例である。パネル４２は上枠４３、下枠４４、縦枠４５により周囲を囲まれている。このパネル４２も前記と同様に取付溝１３を利用して取付けた支持片４６に固定する。本実施例でのベースプレート３８の既設手摺り３３への取付けは、先端に押圧板４７を固着した落下防止ボルト４８をベースプレート３８に螺着させて行う。
【００２８】
次に、図１０・図１１・図２に本突張り支柱を屋内・屋外のロールカーテンの支柱として使用した例を示す。図１０はロールスクリーンを展開させた状態の外観図、図１１はロールスクリーンを巻き込んだ状態の外観図、図１２はその詳細図である。
【００２９】
ロールスクリーン４９は円筒状のボックス５０内の中心軸５１に巻き付けられ、外方に引き出せば展開し、それを離すとバネの力により巻き戻されるように構成されている。ロールスクリーン４９の下端のテンションバー５１を支柱１にロックして、ロールスクリーン４９を展開状態とする。
【００３０】
このロールカーテン５２も前記と同様に取付溝１３を利用して支柱１に固定する。
【００３１】
図１３・図１４・図１５に本突張り支柱を屋内・屋外のガーデニングラックの支柱として使用した例を示す。図１３は四角形窓のラックを取付けた状態の外観図、図１４は菱形窓のラックを取付けた状態の外観図、図１５はその詳細図である。
【００３２】
ラック５３は上枠５４、下枠５５、縦枠５６に囲まれている。このラック５３も前記と同様に取付溝１３を利用して取付けた支持片４６に固定する。
【００３３】
図１６・図１７、図１８・図１９に本突張り支柱を屋内・屋外のフリーラックの支柱として使用した例を示す。図１６は浅底のラック５７を取付けた状態の外観図、図１７はその詳細図、図１８は深底のラック５８を取付けた状態の外観図、図１９はその詳細図である。
【００３４】
このラック５７・５８も前記と同様に取付溝１３を利用して支柱１に固定してある。
【００３５】
【発明の効果】
本発明は、上述のように、中空状の支柱の両端部に第一キャップ、第二キャップをそれぞれ嵌着し、アジャスターボルトの一方部を第二キャップを挿通させて支柱内に突入させ、アジャスターボルトの他方部を支柱の外方へ突出させ、第二キャップを支持するようにして昇降ナットをアジャスターボルトに螺合させ、アジャスターボルトの外方端に基板を取付けてなる建築用突張り支柱であるので、支柱の立設が加工を行うことなく、スパナ、レンチ等の通常使用する工具で行え、設置する位置の調整が容易にでき、誰にでも容易に取付けられる。
【００３６】
また、本発明は、具体的には、支柱の外周に部材の取付溝を設けた。
【００３７】
さらに、本発明は、具体的には、第一キャップの上面に滑り止めのスパイクを設けた。
【００３８】
さらにその上に、本発明は、具体的には、基板をアジャスターボルトに対して傾動可能に設けた。
【図面の簡単な説明】
【図１】本発明の建築用突張り支柱の具体的な実施例の詳細図である。
【図２】本発明の建築用突張り支柱の具体的な実施例の詳細図である。
【図３】本発明の建築用突張り支柱の具体的な実施例の詳細図である。
【図４】本発明の突張り支柱をバルコニー・廊下の手摺りの支柱として使用した例の外観図である。
【図５】図４の詳細図である。
【図６】本発明の突張り支柱をバルコニー・廊下の落下防止柵の支柱として使用した例の外観図である。
【図７】図６の詳細図である。
【図８】本発明の突張り支柱をバルコニー・廊下の目隠し部材の支柱として使用した例の外観図である。
【図９】図８の詳細図である。
【図１０】本発明のロールスクリーンを展開させた状態の外観図である。
【図１１】本発明のロールスクリーンを巻き込んだ状態の外観図である。
【図１２】図１０・図１１の詳細図である。
【図１３】本発明の四角形窓のラックを取付けた状態の外観図である。
【図１４】本発明の菱形窓のラックを取付けた状態の外観図である。
【図１５】図１３・図１４の詳細図である。
【図１６】本発明の浅底のラックを取付けた状態の外観図である。
【図１７】図１６の詳細図である。
【図１８】本発明の深底のラックを取付けた状態の外観図である。
【図１９】図１８の詳細図である。
【符号の説明】
１…支柱
２…上キャップ（第一キャップの例）
３…下キャップ（第二キャップの例）
４…アジャスターボルト
８…昇降ナット
１０…アンカーキャップ（基板の例）
１３…取付溝
１４…スパイク
【図１】
2004209026.tif 000003
【図２】
2004209026.tif 000004
【図３】
2004209026.tif 000005
【図４】
2004209026.tif 000006
【図５】
2004209026.tif 000007
【図６】
2004209026.tif 000008
【図７】
2004209026.tif 000009
【図８】
2004209026.tif 000010
【図９】
2004209026.tif 000011
【図１０】
2004209026.tif 000012
【図１１】
2004209026.tif 000013
【図１２】
2004209026.tif 000014
【図１３】
2004209026.tif 000015
【図１４】
2004209026.tif 000016
【図１５】
2004209026.tif 000017
【図１６】
2004209026.tif 000018
【図１７】
2004209026.tif 000019
【図１８】
2004209026.tif 000020
【図１９】
2004209026.tif 000021